(57)【要約】身体拘束ベルトの一構成要素である股ベルト２０は、曲げ弾性を有する弾性プレート２１と、この弾性プレート２１の先端に取付けられたバックル２２とを含む。弾性プレート２１の一端は、座面４の下で固定点２３に固定される。股ベルト２０が腰ベルトに連結されていない状態では、弾性プレート２１の弾性力により、股ベルト２０は、座面４の前方部分に沿って近接して位置する。
2004093608.tif 000002
【特許請求の範囲】
【請求項１】
座席に着座した子供の身体を拘束する身体拘束ベルトと、前記身体拘束ベルトを所定の拘束位置に固定保持する固定手段とを備えた育児器具の座席において、
前記身体拘束ベルトは、前記固定手段によるロックが解除されている状態では、自動的に前記座席の前面を開放する位置にもたらされるように構成されていることを特徴とする、育児器具の座席。
【請求項２】
前記身体拘束ベルトは弾性力のある部材を含み、この弾性力により前記開放位置に自動復帰するようにされている、請求項１に記載の育児器具の座席。
【請求項３】
前記身体拘束ベルト自体が弾性力のある部材で構成されている、請求項２に記載の育児器具の座席。
【請求項４】
前記身体拘束ベルトは、ベルト部分に沿うように配置されたクッション材を含み、このクッション材の弾性力により前記開放位置に自動復帰するようにされている、請求項２に記載の育児器具の座席。
【請求項５】
前記身体拘束ベルトの外側に向く外表面と、前記外表面に対面する前記座席の表面とを張力を維持した状態で接続する張力部材を含み、この張力部材の張力により前記身体拘束ベルトを前記開放位置に自動復帰させるようにしている、請求項１に記載の育児器具の座席。
【請求項６】
前記身体拘束ベルトは、前記固定手段によって前記拘束位置に固定保持されている状態では、外側に向かって膨出した湾曲形状を有している、請求項１に記載の育児器具の座席。
【請求項７】
前記身体拘束ベルトは、着座した子供の両太腿の間から引出される股ベルトを含み、
前記股ベルトは、前記固定手段によるロックが解除されている状態では、股ベルト引出し部の前方に位置する座面に沿って位置するようにされている、請求項１に記載の育児器具の座席。
【請求項８】
前記身体拘束ベルトは、着座した子供の胴部を拘束する１対の腰ベルトを含み、
前記各腰ベルトは、前記固定手段によるロックが解除されている状態では、座席の側面に沿って位置するようにされている、請求項１に記載の育児器具の座席。
【請求項９】
前記股ベルトは、その上端部分から両側方に張り出して延びる１対の側方張出部を含み、
前記股ベルトの上端部分および１対の側方張出部は、着座した子供の胴部を凹凸の無い面で包み込むような形状を有する、請求項７に記載の育児器具の座席。
【請求項１０】
前記各側方張出部は、着座した子供の胴部と座席の側壁との間の隙間内に位置する、請求項９に記載の育児器具の座席。
【請求項１１】
身体拘束ベルトは、着座した子供の両太腿の間から引出される股ベルトと、子供の胴部を拘束する１対の腰ベルトとを含み、
前記股ベルトは、前記固定手段によるロックが解除されている状態では、股ベルト引出し部の前方に位置する座面に沿って位置するようにされており、
前記各腰ベルトは、前記固定手段によるロックが解除されている状態では、座席の側面に沿って位置するようにされており、
前記股ベルトは、その上端部分から両側方に張り出して延びる１対の側方張出部を含み、
前記各腰ベルトは、前記股ベルトの側方張出部上を延びる、請求項１に記載の育児器具の座席。
【請求項１２】
前記股ベルトの上端部分の外面に連結用の受具が取り付けられており、
前記各腰ベルトの先端に前記受具に係合する連結用の差込具が取り付けられている、請求項１１に記載の育児器具の座席。
【発明の詳細な説明】
【技術分野】  この発明は、乳母車やチャイルドシートなどの座席付き育児器具に関し、特に子供の身体を拘束する身体拘束ベルトを備えた育児器具の座席に関するものである。
【背景技術】  育児器具の一例として、乳母車について説明する。
乳母車の身体拘束ベルトは、通常、股ベルトと、この股ベルトにバックルを介して連結される１対の腰ベルトとを含む。子供が乳母車の座席に着座していない状態では、股ベルトおよび腰ベルトは、弛んだ状態で乳母車の座席の座面上に無造作に位置している。
そのため、乳母車の座席に子供を着座させようとするときには、まず股ベルトおよび腰ベルトを邪魔にならない位置に動かしてから子供を座席に乗せる必要がある。このような股ベルトおよび腰ベルトを動かす作業は、やや煩雑である。
また、股ベルトおよび腰ベルトが座面上に弛んだ状態で無造作に位置していると、乳母車が折畳み動作を行なうとき、股ベルトおよび／または腰ベルトが座面と背もたれ面との間に不自然に挟まれて折畳み動作に対して抵抗を与えるおそれがある。
従来の乳母車の中には、股ベルトが非使用時に自立した状態になるものも提供されているが、自立した股ベルトの存在は、子供を座席に乗せようとするときに邪魔になる。
一方、身体拘束ベルトによって子供の身体を拘束している状態において、身体拘束ベルトまたはバックルが子供の腹部を圧迫しないようにすることが望まれる。
【発明の開示】
この発明の目的は、子供を育児器具の座席に乗せようとするときに、身体拘束ベルトを邪魔にならない位置に動かすような煩雑な作業を不要にすることである。
この発明の他の目的は、子供の腹部を圧迫しない身体拘束ベルトを提供することである。
この発明は、座席に着座した子供の身体を拘束する身体拘束ベルトと、この身体拘束ベルトを所定の拘束位置に固定保持する固定手段とを備えた育児器具の座席を前提とし、次のことを特徴とする。
すなわち、身体拘束ベルトは、固定手段によるロックが解除されている状態では、自動的に座席の前面を開放する位置にもたらされるように構成されている。
上記のような構成であれば、身体拘束ベルトは、非使用状態では、常に座席の前面を開放しているので、子供を座席に乗せようとするときに身体拘束ベルトを邪魔にならない位置に動かすような作業を不要にできる。
好ましくは、身体拘束ベルトは弾性力のある部材を含み、この弾性力により上記の開放位置に自動復帰するようにされている。一つの実施形態では、身体拘束ベルト自体が弾性力のある部材で構成されている。他の実施形態では、身体拘束ベルトは、ベルト部分に沿うように配置されたクッション材を含み、このクッション材の弾性力により上記の開放位置に自動復帰するようにされている。
さらに他の実施形態では、育児器具の座席は、身体拘束ベルトの外側に向く外表面と、この外表面に対面する座席の表面とを張力を維持した状態で接続する張力部材を含み、この張力部材の張力により身体拘束ベルトを上記の開放位置に自動復帰させるようにしている。
身体拘束ベルトは、好ましくは、固定手段によって上記の拘束位置に固定保持されている状態では、外側に向かって膨出した湾曲形状を有している。このような湾曲形状であれば、子供の腹部を圧迫しない。
身体拘束ベルトは、例えば、着座した子供の両太腿の間から引出される股ベルトを含む。この股ベルトは、固定手段によるロックが解除されている状態では、股ベルト引出し部の前方に位置する座面に沿って位置するようにされている。
さらに、身体拘束ベルトは、例えば、着座した子供の胴部を拘束する１対の腰ベルトを含む。この場合、各腰ベルトは、固定手段によるロックが解除されている状態では、座席の側面に沿って位置するようにされている。
一つの実施形態において、股ベルトは、その上端部分から両側方に張り出して延びる１対の側方張出部を含む。この場合、股ベルトの上端部分および１対の側方張出部は、着座した子供の胴部を凹凸の無い面で包み込むような形状を有する。好ましくは、各側方張出部は、着座した子供の胴部と座席との間の隙間内に位置している。
具体的な実施形態において、身体拘束ベルトは、着座した子供の両太腿の間から引出される股ベルトと、子供の胴部を拘束する１対の腰ベルトとを含む。股ベルトは、固定手段によるロックが解除されている状態では、股ベルト引出し部の前方に位置する座面に沿って位置するようにされている。各腰ベルトは、固定手段によるロックが解除されている状態では、座席の側面に沿って位置するようにされている。股ベルトは、その上端部分から両側方に張り出して延びる１対の側方張出部を含み、各腰ベルトは、股ベルトの側方張出部上を延びる。股ベルトと１対の腰ベルトとを連結するために、例えば、股ベルトの上端部分の外面に連結用の受具が取り付けられており、各腰ベルトの先端に上記受具に係合する連結用の差込具が取り付けられている。
【図面の簡単な説明】  図１は、身体拘束ベルトが開放位置にもたらされている状態の乳母車の座席を示す斜視図である。
図２は、図１に示した座席に子供を乗せた状態を示す斜視図である。
図３は、身体拘束ベルトを拘束位置に固定保持した状態を示す斜視図である。
図４は、乳母車の折畳み状態を上方から見た斜視図である。
図５は、開放位置にある股ベルトの一例を示す図解図である。
図６は、図５の股ベルトが拘束位置にある状態を示す図解図である。
図７は、開放位置にある股ベルトの他の例を示す図解図である。
図８は、図７の股ベルトが拘束位置にある状態を示す図解図である。
図９は、開放位置にある股ベルトのさらに他の例を示す図解図である。
図１０は、図９の股ベルトが拘束位置にある状態を示す図解図である。
図１１は、開放位置にある身体拘束ベルトの他の例を示す斜視図である。
図１２は、腰ベルトを示す斜視図である。
図１３は、股ベルトを示す斜視図である。
図１４は、身体拘束ベルトによって子供の身体が拘束されている状態を示す図である。
【発明を実施するための最良の形態】  図１は、育児器具の一例としての乳母車を示している。図示するように、乳母車１は、車体２と、この車体２上に設けられた座席３とを備える。図示する実施形態では、座席３は、座席ハンモックによって形成されている。
座席３は、座面４と、背もたれ面５と、１対の側面６とを備える。乳母車１は、座席に着座した子供の身体を拘束するための身体拘束ベルトと、この身体拘束ベルトを所定の拘束位置に固定保持する固定手段とを備える。
図示する実施形態では、身体拘束ベルトは、着座した子供の両太腿の間から引出される股ベルト１０と、着座した子供の胴部を拘束する１対の腰ベルト１１とを含む。股ベルト１０および１対の腰ベルト１１は、バックルなどの固定手段を介して連結される。図からは明確に確認できないが、股ベルト１０は、座面の下から引出されるベルトと、このベルトの先端に取付けられるバックルの一要素である受け具と、ベルトおよび受け具に沿って配置される股パッドとを含む。１対の腰ベルト１１の先端には、バックルの一要素である差込具１２が取付けられる。差込具１２と受け具とが係合することにより、股ベルト１０と１対の腰ベルト１１とが連結される。
図１に示すように、身体拘束ベルトの構成要素である股ベルト１０および１対の腰ベルト１１は、バックルなどの固定手段によるロックが解除されている状態では、自動的に座席３の前面を開放する位置にもたらされるように構成されている。
具体的には、股ベルト１０は、股ベルトの引出し部の前方に位置する座面４に沿って近接して位置するようにされている。また、各腰ベルト１１は、座席３の側面６に沿って近接して位置するようにされている。従って、子供を座席に乗せようとするときに、股ベルト１０および腰ベルト１１を邪魔にならない位置に動かすような煩雑な作業を不要にすることができる。
図２は、子供を座席に乗せた状態を示し、図３は、股ベルト１０と１対の腰ベルト１１を連結した状態を示している。通常、乳母車の座席３の前方には、前ガード１３が設けられる。図１〜図３では、前ガード１３の一方端を連結点１４から取り外している状態を示している。乳母車１の座席３に子供を乗せている状態では、前ガード１３の一方端は、連結点１４に連結される。
好ましくは、座席３に着座した子供の腹部を圧迫しないようにするために、身体拘束ベルト１０，１１は、バックルなどの固定手段によって拘束位置に保持されている状態では、外側に向かって膨出した湾曲形状を有するようにされる。
図４は、乳母車の折畳み状態を上方から見た図である。子供が着座していない状態では、股ベルト１０および１対の腰ベルト１１が、それぞれ、座席３の座面４および側面６に沿って近接して位置するように構成されているので、乳母車１の折畳み動作の際、股ベルト１０および腰ベルト１１が座面４と背もたれ面５との間に不自然に挟まれて抵抗となるようなことはない。
図５および図６は、身体拘束ベルトの一構成要素である股ベルト２０の一例を示している。この実施形態では、股ベルト２０は、曲げ弾性を有する弾性プレート２１と、この弾性プレート２１の先端に取付けられたバックル２２とを含む。例えば、弾性プレート２１を板ばねで構成してもよい。弾性プレート２１の一端は、座面４の下で固定点２３に固定されている。
図５に示すように、股ベルト２０が腰ベルトに連結されていない状態では、弾性プレート２１の弾性力により、股ベルト２０は、座面４の前方部分に沿って近接して位置する。
図６は、股ベルト２０が腰ベルト（図示せず）に連結されている状態を示している。この状態では、弾性プレート２１は、その曲げ弾性により、外側に向かって膨出した湾曲形状を呈するので、着座した子供の腹部を圧迫しない。
図７および図８は、股ベルトの他の例を示している。図示する股ベルト３０は、一端が座面４の下に固定された柔軟性ベルト３１と、このベルト３１の先端に取付けられたバックル３２と、柔軟性ベルト３１の内面に沿うように配置されたクッション材３３とを含む。クッション材３３と柔軟性ベルト３１とは、例えばカバー部材を介して一体になるようにされている。また、図示するように、クッション材３３の基端は、座面４または座面４の下に固定される。
図７に示すように、股ベルト３０が腰ベルトに連結されていない状態では、クッション材３３の弾性力により、股ベルト３０は、座面４の前方部分に沿って近接して位置する。
図８は、股ベルト３０が腰ベルト（図示せず）に連結されている状態を示している。この状態では、クッション材３３の弾性力により、股ベルト３０が外側に向かって膨出した湾曲形状を呈するのでの、着座した子供の腹部を圧迫しない。
図９および図１０は、股ベルトのさらに他の例を示している。図示する股ベルト４０は、一端が座面４の下に固定された柔軟性ベルト４１と、このベルト４１の先端に取付けられたバックル４２と、柔軟性ベルト４１の外面に沿うように配置された外面縫製部材４３と、柔軟性ベルト４１の内面に沿うように配置された内面縫製部材４４とを含む。
外面縫製部材４３は、股ベルト４１の外側に向く外表面と、この外表面に対面する座席の座面４とを張力を維持した状態で接続するように縫い付けられている。従って、図９に示すように、股ベルト４０が腰ベルトに連結されていない状態では、外面縫製部材４３の張力により、股ベルト４０は、座面４の前方部分に沿って近接して位置する。
図１０は、股ベルト４０が腰ベルト（図示せず）に連結されている状態を示している。この状態では、外面縫製部材４３の張力により、股ベルト４０が外側に向かって膨出した湾曲形状を呈するので、着座した子供の腹部を圧迫しない。
図５〜図１０は股ベルトの種々の例を示すものであるが、腰ベルトに対しても同様の構造を適用できる。
図１１〜図１４は、この発明の他の実施形態に係る身体拘束ベルトを示している。身体拘束ベルトは、座面５０から引出された股ベルト６０と、１対の腰ベルト７０とを含む。股ベルト６０は、図１１に示すように、固定手段によるロックが解除されている状態では、股ベルトの引出し部の前方に位置する座面に沿って位置するようにされている。各腰ベルト７０も、固定手段によるロックが解除されている状態では、座席の側面に沿って位置するようにされている。
図１１および図１３に示すように、股ベルト６０は、その上端部分から両側方に張り出して延びる１対の側方張出部６１を含む。好ましくは、股ベルト６０の上端部分および１対の側方張出部６１は、着座した子供の胴部を凹凸の無い面で包み込むような形状を有する。このような形状の股ベルト６０を用いることにより、子供の腰部分を安定して保持することができるようになる。
図１２に示すように、各腰ベルト７０は、開放位置に自動復帰する弾性力を発揮する腰ベルトパッド７１を含む。腰ベルトパッド７１の外面にはループ部７２が形成されており、腰ベルトはこのループ部７２を通過する。また、腰ベルト７０の先端には、連結用の差込具７３が取り付けられている。
図１３に示すように、股ベルト６０の上端部分の外面にループ部６２と、このループ部６２によって覆われた連結用の受具６３が設けられている。身体拘束ベルトの装着状態では、１対の腰ベルト７０の先端にある差込具７３が受具６３に着脱可能に嵌り込む。
図１４に示すように、各腰ベルト７０は、股ベルト６０の側方張出部６１上を延びている。各側方張出部６１は、着座した子供の胴部と座席との間の隙間内に位置するので、着座した子供の腰部分を安定させることができる。
図示した実施形態は、育児器具として乳母車について説明したが、この発明はチャイルドシート等の身体拘束ベルトを備えた座席付き育児器具に等しく適用される。チャイルドシートの場合、通常、身体拘束ベルトは、５点式ベルトであり、股ベルトと、肩ベルトと、腰ベルトとを含む。一般的には、肩ベルトと腰ベルトとは連続して延びている。このようなチャイルドシートの身体拘束ベルトベルトに対して、この発明は適用され得る。
【産業上の利用可能性】  この発明は、子供の身体を拘束する身体拘束ベルトを備えた育児器具の座席に有利に利用され得る。
【図１】
2004093608.tif 000003
【図２】
2004093608.tif 000004
【図３】
2004093608.tif 000005
【図４】
2004093608.tif 000006
【図５】
2004093608.tif 000007
【図６】
2004093608.tif 000008
【図７】
2004093608.tif 000009
【図８】
2004093608.tif 000010
【図９】
2004093608.tif 000011
【図１０】
2004093608.tif 000012
【図１１】
2004093608.tif 000013
【図１２】
2004093608.tif 000014
【図１３】
2004093608.tif 000015
【図１４】
2004093608.tif 000016
【国際調査報告】
2004093608.tif 000017
2004093608.tif 000018
2004093608.tif 000019
2004093608.tif 000020